(57)【要約】【課題】自動で媒体を処理することが可能な媒体処理装置を提供する。【解決手段】第１の部分と第２の部分とが結合してなる紙状媒体が複数挿入される挿入部と、前記各紙状媒体を搬送する搬送部と、前記各紙状媒体の画像を撮像する撮像部と、前記各紙状媒体を一時的に保留する複数の保留部と、前記第１の部分又は前記第２の部分の少なくとも一方に印字又は押印する記録部と、前記第１の部分と前記第２の部分とを切り離すカッタ部と、切り離された前記第２の部分を回収する回収部と、前記搬送部を制御する制御部とを備える媒体処理装置を提供する。【選択図】図４
2019087191.tif 000002
【特許請求の範囲】
【請求項１】
第１の部分と第２の部分とが結合してなる紙状媒体が複数挿入される挿入部と、
前記各紙状媒体を搬送する搬送部と、
前記各紙状媒体の画像を撮像する撮像部と、
前記各紙状媒体を一時的に保留する複数の保留部と、
前記第１の部分又は前記第２の部分の少なくとも一方に印字又は押印する記録部と、
前記第１の部分と前記第２の部分とを切り離すカッタ部と、
切り離された前記第２の部分を回収する回収部と、
前記搬送部を制御する制御部と、
を備える、
媒体処理装置。
【請求項２】
前記制御部は、
前記複数の保留部の中から、前記挿入部に近い順に前記保留部を選択し、
選択した前記保留部に前記紙状媒体を搬送するように、前記搬送部を制御する、
請求項１に記載の媒体処理装置。
【請求項３】
前記保留部は、４つ以上設けられる、請求項１又は２に記載の媒体処理装置。
【請求項４】
前記回収部は、前記保留部に比べて前記挿入部に近い位置に設けられている、請求項１〜３のいずれか１項に記載の媒体処理装置。
【請求項５】
前記回収部の近傍に設けられた、前記回収部に収納された前記第２の部分を外部に取り出すための扉をさらに備える、
請求項１〜４のいずれか１項に記載の媒体処理装置。
【請求項６】
前記撮像部は、前記回収部に比べて前記挿入部に近い位置に設けられている、請求項４に記載の媒体処理装置。
【請求項７】
前記記録部は、前記撮像部に比べて前記挿入部に近い位置に設けられている、請求項４に記載の媒体処理装置。
【請求項８】
前記挿入部と前記記録部との間に設けられ、搬送される前記紙状媒体を所定の位置に誘導するガイド機構をさらに備える、請求項７に記載の媒体処理装置。
【請求項９】
前記カッタ部は、前記記録部に比べて前記挿入部に近い位置に設けられている、請求項７に記載の媒体処理装置。
【請求項１０】
前記制御部は、印字又は押印され、切り離された前記第１の部分を前記挿入部から排出するように前記搬送部を制御する、請求項９に記載の媒体処理装置。
【請求項１１】
前記挿入部には、前記紙状媒体を内部へ引き込むためのローラが設けられており、前記ローラは、前記紙状媒体の搬送方向に対して斜めに傾けて配置される、請求項１〜１０のいずれか１項に記載の媒体処理装置。
【請求項１２】
前記紙状媒体の形態に応じた制御情報を格納する記憶部をさらに備え、
前記制御部は、前記撮像部によって撮像された前記紙状媒体の画像に基づき前記制御情報を抽出し、抽出した前記制御情報に基づき前記搬送部を制御する、
請求項１〜１１のいずれか１項に記載の媒体処理装置。
【請求項１３】
前記記録部は、前記紙状媒体を処理した日付を当該紙状媒体に印字又は押印し、
前記制御部は、日付が変わった場合には、ユーザに前記記録部が印字又は押印する日付の変更を促す通知を行う、
請求項１〜１２のいずれか１項に記載の媒体処理装置。
【発明の詳細な説明】
【技術分野】
【０００１】
本発明は、媒体処理装置に関する。
【背景技術】
【０００２】
コンビニエンスストアの店舗や郵便局等においては、通信販売での購入代金や公共料金の収納等の収納代行業務を、業者や公共事業者等から送付された払込票を用いて行うことができる。例えば、このような払込票を処理する装置としては、下記特許文献１に開示される払込票処理装置を挙げることができる。
【０００３】
しかしながら、上述の店舗等で用いられる払込票は、大きさ、記載形式、レイアウト等の形態（フォーマット）が統一化されていないことから、払込票の形態によっては、上述の払込票処理装置で取り扱うことができない場合がある。従って、コンビニエンスストア等の店舗においては、様々な形態を持つ払込票を受け付け、店員等によって払込票に係る収納代行業務を行うこととなる。詳細には、店員等が、払込票の記載内容を目視で確認し、目視した内容に基づいて代金等の精算を行う。さらに、店員等は、顧客から代金を受け取ったことを証明するために、払込票に領収印を押印し、払込票の一部を切り取って顧客へ返却する。
【先行技術文献】
【特許文献】
【０００４】
【特許文献１】特開２００８−２７６４３２号公報
【発明の概要】
【発明が解決しようとする課題】
【０００５】
しかしながら、払込票（媒体）に係る収納代行業務を店員等の人手で行っていることから、領収印の押印を忘れたり、払込票の一部を返却することを忘れたりといったミスを完全に防ぐことは難しい。さらに、店員等により当該収納代行業務を行うことから、店員等が不正な処理を行うこともできる。従って、上述のようなミスや不正を防止するために、店員等の人手を介することなく、払込票の受け付けから、代金等の精算、領収印の押印、及び払込票の一部の返却までの払込票に係る収納代行処理を自動で行うことができる払込票処理装置（媒体処理装置）が求められていた。
【０００６】
そこで、本発明は、上記状況に鑑みてなされたものであり、本発明の目的とするところは、媒体の処理を自動で行うことが可能な、新規かつ改良された媒体処理装置を提供することにある。
【課題を解決するための手段】
【０００７】
上記課題を解決するために、本発明のある観点によれば、第１の部分と第２の部分とが結合してなる紙状媒体が複数挿入される挿入部と、前記各紙状媒体を搬送する搬送部と、前記各紙状媒体の画像を撮像する撮像部と、前記各紙状媒体を一時的に保留する複数の保留部と、前記第１の部分又は前記第２の部分の少なくとも一方に印字又は押印する記録部と、前記第１の部分と前記第２の部分とを切り離すカッタ部と、切り離された前記第２の部分を回収する回収部と、前記搬送部を制御する制御部とを備える媒体処理装置が提供される。
【０００８】
前記制御部は、前記複数の保留部の中から、前記挿入部に近い順に前記保留部を選択し、選択した前記保留部に前記紙状媒体を搬送するように、前記搬送部を制御してもよい。
【０００９】
前記保留部は、４つ以上設けられてもよい。
【００１０】
前記回収部は、前記保留部に比べて前記挿入部に近い位置に設けられていてもよい。
【００１１】
前記媒体処理装置は、前記回収部の近傍に設けられた、前記回収部に収納された前記第２の部分を外部に取り出すための扉をさらに備えてもよい。
【００１２】
前記撮像部は、前記回収部に比べて前記挿入部に近い位置に設けられていてもよい。
【００１３】
前記記録部は、前記撮像部に比べて前記挿入部に近い位置に設けられていてもよい。
【００１４】
前記媒体処理装置は、前記挿入部と前記記録部との間に設けられ、搬送される前記紙状媒体を所定の位置に誘導するガイド機構をさらに備えてもよい。
【００１５】
前記カッタ部は、前記記録部に比べて前記挿入部に近い位置に設けられていてもよい。
【００１６】
前記制御部は、印字又は押印され、切り離された前記第１の部分を前記挿入部から排出するように前記搬送部を制御してもよい。
【００１７】
前記挿入部には、前記紙状媒体を内部へ引き込むためのローラが設けられており、前記ローラは、前記紙状媒体の搬送方向に対して斜めに傾けて配置されてもよい。
【００１８】
前記媒体処理装置は、前記紙状媒体の形態に応じた制御情報を格納する記憶部をさらに備え、前記制御部は、前記撮像部によって撮像された前記紙状媒体の画像に基づき前記制御情報を抽出し、抽出した前記制御情報に基づき前記搬送部を制御してもよい。
【００１９】
前記記録部は、前記紙状媒体を処理した日付を当該紙状媒体に印字又は押印し、前記制御部は、日付が変わった場合には、ユーザに前記記録部が印字又は押印する日付の変更を促す通知を行ってもよい。
【発明の効果】
【００２０】
以上説明したように本発明によれば、自動で媒体を処理することが可能な、媒体処理装置を提供することができる。
【図面の簡単な説明】
【００２１】
【図１】本発明の実施形態に係る払込票処理システム１の構成例を説明する説明図である。
【図２】同実施形態において取り扱われる払込票８００の一例を説明するための説明図である。
【図３】同実施形態に係る払込票処理装置１０の機能ブロック図である。
【図４】同実施形態に係る払込票処理装置１０の機構部１２０の内部構成を模式的に示した説明図である。
【図５】同実施形態に係る挿入部１２２近傍の構成を模式的に示した説明図である。
【図６】同実施形態に係る受付処理の一例を示すフローチャートである。
【図７】同実施形態に係る入金処理の一例を示すフローチャートである。
【図８】同実施形態に係る排出処理の一例を示すフローチャートである。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
また、本明細書および図面において、実質的に同一又は類似の構成要素については、同一の符号の後に異なるアルファベットを付して区別する場合がある。ただし、類似する構成要素の各々を特に区別する必要がない場合、同一符号のみを付する。
【００２４】
さらに、以下の説明で参照される図は、本発明の実施形態の説明とその理解を促すための図であり、わかりやすくするために、図中に示される形状や寸法、比などは実際と異なる場合がある。さらに、図中に示される装置等は、以下の説明と公知の技術を参酌して適宜、設計変更することができる。
【００２５】
＜＜第１の実施形態＞＞
＜払込票処理システム１の構成＞
まず、本発明の第１の実施形態に係る払込票処理システム１の構成について説明する。図１は、本発明の実施形態に係る払込票処理システム１の構成例を説明する説明図である。図１に示すように、当該払込票処理システム１は、払込票処理装置（媒体処理装置）１０、センタサーバ２０及び通信網６０を含む。以下に、払込票処理システム１に含まれる各装置等の概略を説明する。
【００２６】
（払込票処理装置１０）
払込票処理装置１０は、払込票８００（図２  参照）に関する各種の処理を行う装置であり、コンビニエンスストア等の店舗に設置され、店舗等を訪れた顧客等によって操作される。具体的には、払込票処理装置１０は、挿入された払込票８００に印字されているデータコードの読み取り、読み取ったデータコードの解析、当該払込票８００に係る代金等の入金処理、当該払込票８００に対する領収印の印字又は押印（形成）、及び、受領証８０８（図２  参照）の排出等の収納代行業務を実行することができる。なお、当該払込票処理装置１０の詳細構成については後述する。
【００２７】
（センタサーバ２０）
センタサーバ２０は、払込票８００に係る収納代行業務に関する情報を管理する装置である。センタサーバ２０は、収納代行業務に関する情報を、後述する通信網６０を介して払込票処理装置１０との間で送受信することが可能である。例えば、センタサーバ２０は、払込票処理装置１０において収納代行業務が行われた払込票８００に関する情報を払込票処理装置１０から受信する。
【００２８】
（通信網６０）
通信網６０は、通信網６０に接続されている装置（例えば、払込票処理装置１０及びセンタサーバ２０）から送信される情報の有線、又は無線の伝送路である。例えば、通信網６０は、電話回線網、インターネット、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網６０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等の専用回線網を含んでもよい。
【００２９】
＜払込票８００の構成例＞
次に、本発明の第１の実施形態に係る払込票処理装置１０で取り扱われる払込票８００の構成の一例について、図２を用いて説明する。図２は、本実施形態において取り扱われる払込票８００の一例を説明するための説明図である。
【００３０】
払込票８００は、コンビニエンスストア、金融機関等の店舗等において、税金、公共料金、通信販売での購入代金等の納付を行うため、事業者等から納付者である顧客へ送付される収納票である。具体的には、顧客が、当該払込票８００をコンビニエンスストア等の店舗に持参し、本実施形態に係る払込票処理装置１０に挿入することにより、当該払込票処理装置１０による収納代行業務が行われることとなる。
【００３１】
図２に示すように、払込票８００は、払込取扱票８０４、店舗控え８０６及び受領証８０８からなる。顧客が払込票８００を店舗に持ち込む際には、払込票８００は、払込取扱票８０４、店舗控え８０６及び受領証８０８が１つに結合した形態を有する。また、払込取扱票８０４、店舗控え８０６及び受領証８０８の互いの境目には、容易にこれらを切り離すことができるようにするミシン目（図示省略）が設けられていてもよい。本実施形態に係る払込票処理装置１０による収納代行業務が完了した際には、払込取扱票８０４、店舗控え８０６及び受領証８０８は、領収印が押され、互いに切り離される。そして、当該払込票処理装置１０は、払込取扱票８０４及び店舗控え８０６（第２の部分）から切り離された受領証８０８（第１の部分）を、顧客に返却（排出）する。
【００３２】
詳細には、図２に示すように、払込取扱票８０４は、納付先の口座番号や納付金額等の情報の他、領収印領域８１０とデータコード領域８１２とを含む。領収印領域８１０は、領収印が押印又は印字される領域である。また、データコード領域８１２には、例えば、バーコード等の、収納に関する情報を含む１次元又は２次元のデータコードが形成される。なお、払込取扱票８０４は、本部控えとも呼ばれ、店舗等において当該払込票８００による収納代行業務が行われた後に事業者又は本部に送られる。
【００３３】
店舗控え８０６は、図２に示すように領収印領域８１４を含む。当該領収印領域８１４は領収印が押印又は印字される領域である。
【００３４】
受領証８０８は、図２に示すように、領収印領域８１０を含む。領収印領域８１６は、領収印の押印又は印字のために設けられた領域である。なお、受領証８０８は、お客様控えとも呼ばれ、先に説明したように当該払込票８００に係る収納代行業務が完了した後に顧客に返却（排出）される。
【００３５】
なお、以下に説明する本発明の第１の実施形態の払込票処理装置１０は、図２に示すような払込票８００を取り扱うことができる。さらに、本実施形態に係る払込票処理装置１０は、図２に示すような形態以外の他の形態を持つ払込票８００も取り扱うことができる。当該払込票処理装置１０が扱うことができる払込票８００は、長方形の紙状媒体であって、少なくとも払込取扱票８０４と、店舗控え８０６及び／又は受領証８０８との２つの部分を持ち、顧客が当該払込票８００を店舗に持ち込む際には、これらが１つにつながった形態を有していればよい。従って、当該払込票８００は、図２に示す払込票８００に対して、幅や長さ等が異なっても、記載形式やレイアウト等が異なっていてもよい。また、本発明の実施形態は、上述したような払込票８００の取扱いに対する適用に限定されるものではなく、小切手、有価証券、商品券、通帳、チケット等の紙状媒体の取扱いであれば、特に限定されるものはなく適用することができる。
【００３６】
＜＜本発明の実施形態をなすに至った経緯＞＞
次に、本発明の実施形態の説明に先立ち、本発明者が本発明の実施形態をなすに至った経緯について説明する。
【００３７】
先に説明したように、コンビニエンスストアの店舗や郵便局等においては、通信販売での購入代金や公共料金の収納等の収納代行業務を、業者や公共事業者等から送付された払込票８００を用いて行うことができる。現状、このように使用される払込票８００は、ガイドラインがあるものの、幅や長さ、記載形式、レイアウト等の形態（フォーマット）が統一化されていない。言い換えると、図２に示すような形態以外にも、様々な形態を持つ各種の払込票８００が存在する。
【００３８】
従って、従来から、所定の形態を持つ払込票８００のみに対して、収納代行業務を行うことができる払込票処理装置は存在するものの、各種形態を持つ払込票８００に対して収納代行業務を行うことができる払込票処理装置はこれまで存在していなかった。
【００３９】
そこで、様々な形態の払込票８００を取り扱うべく、コンビニエンスストアの店舗や郵便局等においては、店員等により収納代行業務が行われることとなる。詳細には、店員等が、払込票の記載内容を目視で確認し、目視した内容に基づいて代金等の精算を行う。さらに、店員等は、顧客から代金を受け取ったことを証明するために、払込票に領収印を押印し、払込票の一部を切り取って顧客へ返却する。また、払込票８００に一次元（例えば、バーコード）又は二次元コード（例えば、ＱＲコード（登録商標））等のデータコードが印字されている場合には、店員は、カウンタ等に設置されるＰＯＳ（Ｐｏｉｎｔ  Ｏｆ  Ｓａｌｅｓ）端末のデータコードスキャナで払込票８００に印字されたデータコードを読み取り、読み取った内容に基づき、代金の精算を行う。従って、データコードが印字されている払込票８００では、代金の入力等の一部の作業を装置によって自動的に行うことができるものの、領収印の押印や受領証８０８の切り離し等は自動的に行うことはできておらず、すなわち、収納代行業務のほとんどは人手によって行われることが一般的である。
【００４０】
しかしながら、上述のように、払込票８００に係る収納代行業務を店員等の人手で行っていることから、領収印の押印を忘れたり、受領証８０８を顧客へ返却することを忘れたりといったミスを完全に防ぐことは難しい。また、このようなミスを防ぐために、複数回の確認作業を店員等が行ったりすることも考えられるが、その分だけ、店員の負担が増えることとなる。さらに、店員等により当該収納代行業務を行うことから、店員等が不正な処理を行うこともできる。
【００４１】
さらに、店員等によって払込票８００が直接扱われることから、顧客のプライバシーに関する情報が店員等に晒されることとなり、上述のように収納代行業務を行う場合には、顧客のプライバシーの確保が難しいことも問題であった。
【００４２】
加えて、顧客がまとめて複数の払込票８００を店舗等に持参する場合が多く、複数の払込票８００が持ち込まれても、顧客を待たせることなく、迅速に収納代行業務を行うことが求められていた。
【００４３】
従って、このような状況から、上述のようなミスや不正を防止し、顧客のプライバシーの確保を可能にし、さらには、迅速な処理を行うことができる払込票処理装置が求められていた。言い換えると、店員等の人手を介することなく、払込票８００の受付から、代金等の精算、領収印の押印、及び払込票の一部の返却までの払込票８００に係る収納代行処理を自動で行うことができる払込票処理装置が求められていた。
【００４４】
そこで、本発明者は、本発明の実施形態に係る払込票処理装置１０を創作するに至った。本発明者が創作した本発明の実施形態によれば、店員等の手を煩わせることなく、払込票８００の処理（収納代行業務）を自動で行うことができる払込票処理装置１０を提供することができる。以下、このような本発明の実施形態の詳細を順次説明する。
【００４５】
＜払込票処理装置１０の詳細構成＞
まずは、本発明の第１の実施形態に係る払込票処理装置１０の詳細構成について、図３及び図４を参照して説明する。図３は、本実施形態に係る払込票処理装置１０の機能ブロック図であり、図４は、本実施形態に係る払込票処理装置１０の機構部１２０の内部構成を模式的に示した説明図である。
【００４６】
図３に示すように、本実施形態に係る払込票処理装置１０は、制御部１００と、電源部１０２と、記憶部１０４と、通信部１０６と、紙幣処理部１０８と、硬貨処理部１１０と、操作表示部１１２と、機構部１２０とを主に有する。以下に、当該払込票処理装置１０の各機能ブロックの詳細について順次説明する。
【００４７】
（制御部１００）
制御部１００は、払込票処理装置１０の内部に設けられ、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及び、ＲＡＭ（Ｒａｎｄｏｍ  Ａｃｃｅｓｓ  Ｍｅｍｏｒｙ）等を用いて、払込票処理装置１０の動作を全般的に制御する。また、制御部１００は、正確な時刻や日付を把握する時計機構（図示省略）を内蔵してもよい。詳細には、制御部１００は、後述する搬送部１２４や検知部１３６等を制御して、払込票８００を内部へ搬送したり、払込票８００の搬送状況を確認したりすることができる。また、制御部１００は、後述する紙幣処理部１０８及び硬貨処理部１１０を制御して、顧客との間で現金取引（代金等の精算）等を行うこともできる。より具体的には、制御部１００は、例えば、挿入された払込票８００を一時的に保留するために、後述する複数の一時保留部１３２の中から１つの一時保留部１３２を選択し、選択した一時保留部１３２へ払込票８００を搬送するように搬送部１２４を制御することができる。
【００４８】
（電源部１０２）
電源部１０２は、払込票処理装置１０の内部に設けられ、外部から供給される商用電源を払込票処理装置１０内の各部分に供給する。例えば、電源部１０２は、払込票処理装置１０内の部分ごとに、外部からの商用電源を当該部分の稼働に必要な電力に変換し、変換後の電力を当該部分に供給する。
【００４９】
（記憶部１０４）
記憶部１０４は、払込票処理装置１０の内部に設けられ、各種のデータや各種のソフトウェアを格納するＨＤＤ（Ｈａｒｄ  Ｄｉｓｋ  Ｄｒｉｖｅ）装置等のデータ格納用記憶装置等からなる。例えば、記憶部１０４は、個々の払込票８００からスキャナ部１２６により読み取った情報を、当該払込票８００に関する処理ステータスに関連付けて格納することができる。また、記憶部１０４は、各種形態を持つ払込票８００における領収印の押印する位置についての位置情報及び払込票８００を切り離す位置についての位置情報を含むフォーマットデータベースを格納することができる。
【００５０】
（通信部１０６）
通信部１０６は、払込票処理装置１０の内部に設けられ、有線／無線によりセンタサーバ２０との間でデータの送受信を行うための通信モジュールである。例えば、通信部１０６は、ＬＡＮ（Ｌｏｃａｌ  Ａｒｅａ  Ｎｅｔｗｏｒｋ）や電話回線等に接続され、センタサーバ２０との間で情報の送受信を行う。
【００５１】
（紙幣処理部１０８及び硬貨処理部１１０）
紙幣処理部１０８及び硬貨処理部１１０は、現金の入出金に関する処理を行う機能ブロックである。詳細には、紙幣処理部１０８は、入金された紙幣を計数し、計数された紙幣の格納処理、及び釣銭の出金処理を行う。また、硬貨処理部１１０は、上述の紙幣処理部１０８と協働して、入金された硬貨を計数し、計数された硬貨の格納処理、及び釣銭の出金処理を行う。
【００５２】
（操作表示部１１２）
操作表示部１１２は、払込票処理装置１０の顧客と向かい合う正面に設けられ、顧客による入力操作を受け付ける入力部としての機能、および、顧客へ各種画面を表示する表示部としての機能を包含する。表示部としての機能は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などにより実現される。また、入力部としての機能は、例えば、上述の各種表示装置に重ねられたタッチパネルにより実現される。なお、表示部および入力部の機能は一体的に構成される代わりに、分離して構成されてもよい。
【００５３】
（機構部１２０）
機構部１２０は、主に払込票８００を処理するための機構であり、図３及び図４に示すように、挿入部１２２と、搬送部１２４と、スキャナ部（撮像部）１２６と、記録部１２８と、カッタ部１３０と、一時保留部１３２と、回収部１３４と、検知部１３６とを主に有する。以下に、機構部１２０の各構成要素の詳細について、順次説明する。
【００５４】
−挿入部１２２−
挿入部１２２は、顧客による払込票８００の挿入を受け付け、挿入された払込票８００を装置の内部へ取り込むことができる。詳細には、挿入部１２２は、図４に示すように、顧客と向かい合う正面に設けられた、払込票８００が挿入される挿入口としての開口部１５０（図５  参照）を有する。さらに、当該開口部１５０は、払込票処理装置１０にて処理された払込票８００の一部（詳細には、受領証８０８）が顧客へ返却（排出）される際の返却口としても機能することができる。従って、本実施形態に係る払込票処理装置１０によれば、上記開口部１５０を挿入口及び返却口の両方として機能させるようにしたことにより、顧客は直感的に払込票処理装置１０を利用することができ、顧客にとっての利便性を高めることができる。
【００５５】
また、挿入部１２２の開口部１５０の内側には、顧客から挿入された複数の払込票８００を１枚ずつ分離する分離機構（図示省略）が設けられていてもよい。この場合、顧客が払込票８００を複数枚同時に開口部１５０に挿入すると、上記分離機構は、払込票８００を１枚ずつ分離して、内部へ搬送する。その際、上記分離機構は、先に搬送された払込票８００の搬送状況に合わせて次の払込票８００を分離し、内部へ搬送する。なお、上記分離機構を設けていない場合には、顧客は払込票８００を１枚ずつ開口部１５０に挿入することとなる。さらに、挿入部１２２の開口部１５０の内側には、挿入された払込票８００を検知するために、後述する検知部１３６ａが設けられていてもよい。
【００５６】
さらに、挿入部１２２の開口部１５０の内側には、搬送される払込票８００を所定の位置に誘導するガイド機構が設けられていてもよい。なお、当該ガイド機構の詳細については後述する。また、本実施形態においては、挿入部１２２に上記ガイド機構を設けていなくてもよく、その場合、上記検知部１３６ａを開口部１５０の左右いずれか一方に位置する基準面２００（図５  参照）側に偏って設け、検知部１３６ａが、払込票８００が当該基準面２００に寄せて挿入されたことを検知した場合にのみ、挿入部１２２が払込票８００の挿入を受け付けるようにしてもよい。
【００５７】
−搬送部１２４−
搬送部１２４は、挿入部１２２に挿入された払込票８００を払込票処理装置１０内の各所に向けて搬送する搬送機構である。詳細には、搬送部１２４は、図４中では帯状に示され、挿入部１２２から、後述するカッタ部１３０、記録部１２８及びスキャナ部１２６を貫き、一時保留部１３２及び回収部１３４の各所まで連続して設けられた搬送路を有する。さらに、搬送部１２４は、当該搬送路に沿って設けられた複数の各種ローラ１３８と、払込票８００の搬送方向を切り替える複数のブレード１４０とを有する。より具体的には、各ローラ１３８は、搬送路を挟んで対向するように配置され、上述の制御部１００により制御され各ローラ１３８が回転することにより、払込票８００を搬送することができる。さらに、制御部１００によって、搬送路に接して設けられた楔形形状のブレード１４０の傾斜方向を変化させることにより、払込票８００の搬送方向を切り替えることができる。
【００５８】
詳細には、図４に示すように、搬送部１２４は、第１の搬送部１２４ａと第２の搬送部１２４ｂとを有する。第１の搬送部１２４ａは、払込票処理装置１０の下部に、水平方向に延びるように設けられている。また、第１の搬送部１２４ａは、上述の挿入部１２２から後述するカッタ部１３０及び記録部１２８を貫くように伸びており、記録部１２８を過ぎたあたりで、垂直方向に上方へカーブして延びる第２の搬送部１２４ｂと接続されている。さらに、第２の搬送部１２４ｂは、第１の搬送部１２４ａからスキャナ部１２６を貫き、後述する回収部１３４及び複数の一時保留部１３２のそれぞれへ分岐しつつ延びている。
【００５９】
挿入部１２２から延びる第１の搬送部１２４ａには、図４に示すように、複数の幅寄せローラ１３８ｂが設けられ、当該幅寄せローラ１３８ｂが第１の方向に回転することにより、挿入部１２２に挿入された払込票８００を、基準面２００（図５  参照）に幅寄せしながら、装置の内部へと搬送することができる。また、当該幅寄せローラ１３８ｂが上記第１の方向とは逆の第２の方向に回転することにより、内部で処理された払込票８００を挿入部１２２の開口部１５０へ搬送することができる。なお、搬送部１２４によって搬送されている払込票８００の搬送状況（到達の有無）は、後述する検知部１３６によって検知することができる。また、本実施形態においては、搬送部１２４の各種ローラ１３８は、図４に示されるような数や位置に設けられていなくてもよく、装置構成等に応じて数や位置等を適宜変更することができる。
【００６０】
また、搬送部１２４の搬送速度は、後述するスキャナ部１２６による払込票８００の読み取りが行われていない場合には、当該読み取り時に比べて速くなるように設定することが好ましく、このようにすることにより払込票８００の処理時間をより短くすることができる。
【００６１】
−スキャナ部１２６−
スキャナ部１２６は、例えば、図４に示すように、挿入部１２２から見て回収部１３４の手前、すなわち、回収部１３４よりも挿入部１２２に近い位置に設けられている。スキャナ部１２６は、例えば、ＯＣＲ（Ｏｐｔｉｃａｌ  Ｃｈａｒｃｔｅｒ  Ｒｅｃｏｇｎｉｔｉｏｎ）といったイメージセンサによって構成され、搬送された払込票８００の表面を光学的に読み取り、デジタル静止画像として上述の記憶部１０４に格納する。より具体的には、スキャナ部１２６は、払込票８００に印刷されているデータコードを撮像し、撮像画像を画像解析することにより、当該データコードに記録されている情報を取得することができる。
【００６２】
なお、図４に示すように、スキャナ部１２６と向かい合うように、払込票８００をスキャナ部１２６上に通過させるように搬送するフィードローラ１３８ｄが設けられていてもよい。また、本実施形態においては、払込票８００の裏面の画像を取得したい場合には、払込票８００の裏面と向かい合うように更なる他のスキャナ部（図示省略）を設けてもよい。
【００６３】
なお、スキャナ部１２６は、払込票処理装置１０に複数個設けられていてもよく、例えば、本実施形態においては、領収印が押印又は印字され、払込票８００から切り離された受領証（第１の部分）８０８を読み取る、図示しないスキャナ部がさらに設けられていてもよい。このようにすることにより、店舗側又は事業者は、受領証８０８に領収印が押されたか否か、適切に処理日時を示す領収印が押されたか否かを、上記スキャナ部で読み取った受領証８０８の画像によって後日確認することができる。
【００６４】
−記録部１２８−
記録部１２８は、例えば、図４に示すように、挿入部１２２から見てスキャナ部１２６及び回収部１３４の手前、すなわち、スキャナ部１２６及び回収部１３４よりも挿入部１２２に近い位置に設けられている。記録部１２８は、スタンプやプリンタ装置によって構成され、上述の制御部１００の制御に従って、搬送された払込票８００に対して領収印の押印又は印字を行う。また、記録部１２８には、払込票８００に対して押印又は印字を行う際に、払込票８００の先端部を検知する検知部（スタンプタイミング検知部）１３６ｄが設けられていてもよい。
【００６５】
例えば、払込票８００に係る代金等が入金済みである場合には、記録部１２８は、当該払込票８００に対して、領収印の押印又は印字を行う。また、記録部１２８は、領収印の押印又は印字の際、当該払込票８００に係る収納代行業務を行った日付や日時等を当該払込票８００に押印又は印字してもよい。また、記録部１２８は、スタンプ及びプリンタ装置の両方を組み合わせることによって実現されてもよい。
【００６６】
より具体的には、記録部１２８がスタンプによって構成されている場合には、図示しない駆動機構により上下方向に駆動されることにより、当該スタンプは払込票８００に対して押印を行うことができる。この場合、記録部１２８の近傍には、上記スタンプの上下方向の位置を検知する検知部（図示省略）を設けてもよい。
【００６７】
また、本実施形態に係る払込票処理装置１０においては、様々な形態を持つ払込票８００に係る収納代行業務を行うこととなる。従って、払込票８００の形態に応じて、領収印を押印又は印字する位置が変わってくることとなる。そこで、本実施形態においては、上述のスキャナ部１２６で読み取った払込票８００の画像に基づき、記録部１２８を払込票処理装置１０の正面から見て左右方向（図４においては紙面に対して垂直方向）に移動させることができる移動機構（図示省略）が設けられていることが好ましい。また、記録部１２８を移動させるようにした場合、記録部１２８が移動可能な領域において、記録部１２８との交差を避けるために搬送部１２４が途切れることとなり、そのような箇所では、払込票８００のスムーズな搬送が難しくなる場合がある。そこで、記録部１２８の移動可能領域においては、搬送部１２４は、記録部１２８の押印時又は印字時に退避し、払込票８００の搬送時には払込票８００に接するように位置することができるように、構成されることが好ましい。
【００６８】
−カッタ部１３０−
カッタ部１３０は、上下方向に沿って移動する刃を持ち、刃を払込票８００に当接することにより、払込票８００の各領域を切り離すことができる。当該カッタ部１３０は、例えば、図４に示すように、挿入部１２２の近傍、すなわち、上述の記録部１２８よりも挿入部１２２に近い位置に設けられている。例えば、払込票８００に係る代金等が入金済みである場合には、カッタ部１３０は、刃を下方向に移動させて、当該払込票８００の受領証８０８（第１の部分）を払込取扱票８０４及び店舗控え８０６（第２の部分）から切り離す。なお、払込票８００を切り離す際に、払込票８００の端部を検知する複数の検知部（カッタタイミング検知部）１３６ｂ、１３６ｃが、カッタ部１３０を挟み込むように設けられていてもよい。
【００６９】
−一時保留部１３２−
一時保留部１３２は、挿入された払込票８００を一時的に保留する機構である。当該一時保留部１３２は、例えば、図４に示すように、複数ある搬送部１２４の先端部に、搬送部１２４の一部としてそれぞれ設けられることができる。なお、本実施形態においては、複数の払込票８００に係る収納代行業務を迅速に処理できるように、４つ以上の一時保留部１３２が設けられることが好ましい。また、顧客から複数枚の払込票８００が挿入された場合には、上述の制御部１００は、挿入部１２２に近い一時保留部１３２から優先して払込票８００を保留させるように、挿入部１２２に近い順に一時保留部１３２を選択し、選択した一時保留部１３２に払込票８００を搬送するように、上述の搬送部１２４を制御する。
【００７０】
なお、図４に示すように、各一時保留部１３２及び後述する回収部１３４の入り口の手前には、複数のフィードローラ１３８ｃとブレード１４０とが設けられ、払込票８００の搬送先を切り替えることができる。さらに、各一時保留部１３２及び回収部１３４の入り口の手前には、一時保留部１３２及び回収部１３４の入り口に払込票８００等が到達したことを検知するために、後述する複数の検知部１３６ｅが設けられていることが好ましい。
【００７１】
−回収部１３４−
回収部１３４は、払込票８００に係る代金等が入金済みである場合には、カッタ部１３０によって切り離された、当該払込票８００の払込取扱票８０４及び店舗控え８０６（第２の部分）を収納する。当該回収部１３４は、例えば、図４に示すように、挿入部１２２から見て一時保留部１３２の手前、すなわち、一時保留部１３２よりも挿入部１２２に近い位置に設けられている。回収部１３４は、払込票処理装置１０における収納代行業務において、ほぼ毎回、払込取扱票８０４及び店舗控え８０６の収納を行う。従って、回収部１３４を挿入部１２２やカッタ部１３０に近い位置に設けることにより、回収部１３４に払込取扱票８０４及び店舗控え８０６が収納されるまでの搬送距離及び搬送時間をより短くすることができる。
【００７２】
また、回収部１３４の入り口には、こしつけローラ１３８ｅが設けられ、払込取扱票８０４及び店舗控え８０６は、当該こしつけローラ１３８ｅにより、回収部１３４に放出される。この際、放出された払込取扱票８０４及び店舗控え８０６が回収部１３４の入り口をふさぐことが無いように、こしつけローラ１３８ｅに設けられた舌片（図示省略）によって叩かれるようにして、払込取扱票８０４及び店舗控え８０６は回収部１３４に落下しながら放出される。なお、こしつけローラ１３８ｅと舌片とは、図示しない駆動機構によって回転することができる。当該駆動機構が、回収部１３４に払込取扱票８０４及び店舗控え８０６が放出される際のこしつけローラ１３８ｅの回転方向とは逆の回転方向に回転した場合に、既に収納された払込取扱票８０４及び店舗控え８０６が回収部１３４から誤って繰り出されることを防ぐために、上記駆動機構はワンウェイクラッチ機構を有することが好ましい。
【００７３】
さらに、回収部１３４は、図４に示すように、回収部１３４の入り口から遠ざかるに応じて底面が高くなるように傾斜して設けられていることが好ましく、このようにすることで、こしつけローラ１３８ｅ等によって放出された払込取扱票８０４及び店舗控え８０６が、放出の際の勢いによって回収部１３４から飛び出すことを避けることができる。また、回収部１３４に収納された払込取扱票８０４及び店舗控え８０６は、回収部１３４の近傍に設けられた扉（図示省略）から外部へ取り出すことができる。
【００７４】
−検知部１３６−
検知部１３６は、上述の搬送路上に設けられて、払込票８００の搬送状況を検知する。検知部１３６としては、例えば、払込票８００により光が遮られることにより払込票８００の到達又は通過の有無を検知する受発光センサからなる光学式センサ等を用いることができる。さらに、本実施形態に係る払込票処理装置１０は、これまで説明した各種検知部１３６の他に、挿入部１２２の開口部１５０の外側に設けられ、未挿入の払込票８００を検知するための検知部（図示省略）を有していてもよく、搬送部１２４の途中で払込票８００が詰まってしまったこと（ジャム）を検知するための検知部（図示省略）を有していてもよい。
【００７５】
さらに、払込票処理装置１０は、カード状の媒体の挿入を受け付けて当該媒体に記録された情報を読み取る読取部（図示省略）を有してもよく、もしくは、顧客に対して生体認証（例えば、指紋認証）を行う認証機構を有していてもよい。また、払込票処理装置１０は、顧客に対して音声等を出力することができるスピーカ（図示省略）を有していてもよい。
【００７６】
＜挿入部１２２の詳細構成＞
次に、図５を参照して挿入部１２２の詳細構成を説明する。図５は、本実施形態に係る挿入部１２２近傍の構成を模式的に示した説明図である。
【００７７】
図５に示すように、挿入部１２２の開口部１５０の内側には、挿入された払込票８００を検知するために、検知部１３６ａが設けられている。さらに、挿入部１２２の開口部１５０の内側の、検知部１３６ａの近傍には、引き込みローラ（ガイド機構）１３８ａが設けられている。当該引き込みローラ１３８ａは、図示しない駆動機構により、払込票８００の挿入方向及び排出方向に回転することができ、このように回転することで、払込票８００を装置の内部へ引き込んだり、外部へ排出したりすることができる。また、引き込みローラ１３８ａのローラ面は、ポリアセタール（ＰＯＭ）等の低摩擦部材で構成され、このようにすることにより、挿入された払込票８００に対して弱い引込み力を発生することができ、内部へ引き込む際に払込票８００が破損（例えば、払込票８００に設けられたミシン目に沿って切れる等）することを避けることができる。さらに、本実施形態においては、引き込みローラ１３８ａの回転軸が払込票８００の挿入方向及び排出方向（搬送方向）（図５中の矢印）に対して斜めに傾くように、引き込みローラ１３８ａが設けられていることが好ましい。このようにすることにより、挿入された払込票８００を、引き込みローラ１３８ａによって図５中の上側の破線で示される基準面２００に幅寄せしながら、装置の内部へ引き込むことができる。
【００７８】
また、引き込みローラ１３８ａよりも内側には、先に説明したように、カッタ部１３０や複数の幅寄せローラ１３８ｂが設けられている。そして、幅寄せローラ１３８ｂが第１の方向に回転することにより、挿入部１２２に挿入された払込票８００を、基準面２００へ幅寄せさせながら、内部へと搬送することができる。また、当該幅寄せローラ１３８ｂが上記第１の方向とは逆の第２の方向に回転することにより、内部で処理された払込票８００を挿入部１２２へ搬送することもできる。詳細には、本実施形態においては、複数の幅寄せローラ１３８ｂは、カッタ部１３０を挟んで互いに逆方向に回転するように駆動することができるようになっている。従って、本実施形態によれば、切り離された受領証８０８（第１の部分）を挿入部１２２の開口部１５０へ排出しつつ、残りの払込取扱票８０４及び店舗控え８０６（第２の部分）を回収部１３４へ搬送することができ、その結果、払込票８００の処理時間を短くすることができる。
【００７９】
さらに詳細には、幅寄せローラ１３８ｂは、払込票８００を上側から挟み込む上側ローラと、払込票８００を下側から挟み込む下側ローラとを有し、例えば、下側ローラは図示しない駆動機構から駆動されることにより回転し、上側ローラは、下側ローラによって搬送される払込票８００の移動に追従して回転する。当該上側ローラのローラ面は、領収印が押印又は印字された払込票８００が通過した際に領収印のインクが付着しないように表面処理等がされていることが好ましい。従って、当該ローラ面には、例えば、粒子が接着されていてもよく、突起が設けられていてもよく、もしくは、はっ水処理等がなされていてもよい。
【００８０】
＜収納代行業務＞
以上、本実施形態に係る払込票処理装置１０及び挿入部１２２の詳細構成について説明した。続いて、上記払込票処理装置１０を用いた本実施形態に係る収納代行業務について説明する。本実施形態に係る収納代行業務においては、顧客によって挿入された払込票８００を受け付ける受付処理と、当該払込票８００に係る代金等の入金処理と、受領証８０８を顧客に排出する排出処理との主に３つの段階の処理が行われる。以下に、本実施形態に係る収納代行業務の各段階について説明する。
【００８１】
（受付処理）
まずは、本実施形態に係る受付処理を、図６を参照して説明する。図６は、本実施形態に係る受付処理の一例を示すフローチャートである。本実施形態に係る受付処理は、顧客によって挿入された払込票８００を受け付ける処理であり、図６に示すように、ステップＳ１０１からステップＳ１１１までの複数のステップを含むことができる。以下に、本実施形態に係る受付処理の各ステップの詳細を説明する。
【００８２】
−ステップＳ１０１−
顧客により、操作表示部１１２に表示された画面に対する取引開始を指示する入力操作がなされたことを検知することにより、払込票処理装置１０は、払込票８００の挿入を待ち受ける。詳細には、払込票処理装置１０の制御部１００は、挿入部１２２の挿入検知部１３６ａに対して、払込票８００の挿入を検知するように制御する。また、当該制御部１００は、カッタ部１３０を上方へ移動させ解放状態にし、記録部１２８を上方へ移動させ解放状態にし、払込票８００がカッタ部１３０及び記録部１２８を通過できるように準備する。さらに、制御部１００は、搬送部１２４のブレード１４０を制御して、挿入された払込票８００が所定の一時保留部１３２に搬送されるようにする。
【００８３】
なお、この際、制御部１００は、顧客に対して払込票８００を基準面２００に寄せて挿入するように誘導するガイダンス画面を操作表示部１１２に表示させてもよい。
【００８４】
−ステップＳ１０３−
顧客により払込票８００が開口部１５０に挿入されることにより、挿入検知部１３６ａは、払込票８００の挿入を検知し、検知した旨の情報を制御部１００へ出力する。制御部１００は、上記情報を受信したことに基づき、搬送部１２４を制御して、払込票８００の受付処理を開始する。
【００８５】
−ステップＳ１０５−
制御部１００は、引き込みローラ１３８ａ及び幅寄せローラ１３８ｂを回転させ、払込票８００を内部へ搬送する。この際、引き込みローラ１３８ａ及び幅寄せローラ１３８ｂは、払込票８００を基準面２００に幅寄せしながら内部へ搬送する。この際、引き込みローラ１３８ａの搬送速度は、当該搬送速度における払込票８００の挿入方向及び排出方向（搬送方向）（図５中の矢印）に沿った成分が幅寄せローラ１３８ｂの搬送速度と同等になるように、制御される。
【００８６】
搬送された払込票８００の先端がスタンプタイミング検知部１３６ｄで検知された場合には、制御部１００は、払込票８００の先端がスキャナ部１２６に到達する前に、払込票８００の搬送速度がスキャナ部１２６のスキャン速度になるように、幅寄せローラ１３８ｂ及びフィードローラ１３８ｃの搬送速度を減速させる。さらに、払込票８００の後端がカッタタイミング検知部１３６ｃを通過したことが検知された場合には、制御部１００は、引き込みローラ１３８ａの回転を停止させる。
【００８７】
−ステップＳ１０７−
制御部１００は、払込票８００がスキャナ部１２６を通過するまでの間に、払込票８００の表面の画像を読み取るようにスキャナ部１２６を制御する。スキャナ部１２６で取得された画像は、制御部１００に出力され、当該画像からデータコードに含まれる情報や代金の金額等の情報、及び、払込票８００の形態（フォーマット）が取得される。この際、取得された払込票８００の形態の情報は、通信部１０６を介してセンササーバ２０へ送信されてもよい。
【００８８】
−ステップＳ１０９−
払込票８００がスキャナ部１２６を通過したことを検知した場合、制御部１００は、顧客に対して、次の払込票８００を挿入するか、既に挿入された払込票８００の処理に移行するかを選択させる選択画面を操作表示部１１２に表示させる。
【００８９】
−ステップＳ１１１−
制御部１００は、搬送部１２４を制御して、搬送された払込票８００を選択した一時保留部１３２へ搬送する。この際、制御部１００は、既に払込票８００を保留していない一時保留部１３２であって、挿入部１２２に近い順に一時保留部１３２を上記払込票８００の搬送先として選択し、選択した一時保留部１３２に払込票８００が搬送されるように搬送部１２４を制御する。すなわち、制御部１００は、払込票８００の搬送先として、挿入部１２２に近い順で一時保留部１３２を選択することにより、払込票８００の搬送距離及び搬送時間をより短くすることができる。
【００９０】
制御部１００は、選択した一時保留部１３２の入り口に設けられた検知部１３６ｅにより、払込票８００が選択した一時保留部１３２に到達したことを検知した場合には、搬送部１２４を停止させる。
【００９１】
なお、上述のステップＳ１０９において、顧客が次の払込票８００を挿入することを選択した場合には、払込票処理装置１０は、上述と同様に次の払込票８００の受付処理を行う。なお、次の払込票８００の挿入は、前に挿入された払込票８００がスキャナ部１２６を通過して、スキャナ部１２６により当該払込票８００の表面の画像の読み取りが終えた場合に、当該払込票８００の一時保留部１３２への収納を待つことなく、行われてもよい。このようにすることにより、払込票処理装置１０は、複数の払込票８００を短い時間で受け付けることが可能になることから、処理のために顧客を待たせる時間を短くすることができる。
【００９２】
（入金処理）
続いて、図７を参照して、上述の受付処理の後に行われる、払込票８００に係る代金等の入金処理を説明する。図７は、本実施形態に係る入金処理の一例を示すフローチャートである。本実施形態に係る入金処理は、図７に示すように、ステップＳ２０１からステップＳ２０５までの複数のステップを含むことができる。以下に、本実施形態に係る入金処理の各ステップの詳細を説明する。
【００９３】
−ステップＳ２０１−
まず、制御部１００は、挿入された払込票８００から読み取った代金等の金額に基づき、顧客が入金すべき金額を操作表示部１１２に表示させる。表示される入金金額は、例えば、既に払込票処理装置１０に挿入された複数の払込票８００に係る代金等の金額の合計値であってもよい。
【００９４】
−ステップＳ２０３−
顧客が、操作表示部１１２に表示された金額に従って、払込票処理装置１０に紙幣及び硬貨を入金する。そして、払込票処理装置１０の紙幣処理部１０８及び硬貨処理部１１０は、制御部１００の制御に従って、顧客から入金された紙幣及び硬貨の処理を行う。
【００９５】
−ステップＳ２０５−
紙幣処理部１０８及び硬貨処理部１１０は、入金された紙幣及び硬貨を計数し、必要に応じて顧客に釣銭を出金する出金処理を行う。
【００９６】
（排出処理）
続いて、図８を参照して、上述の入金処理の後に行われる、受領証８０８を顧客に排出する排出処理を説明する。図８は、本実施形態に係る排出処理の一例を示すフローチャートである。本実施形態に係る排出処理は、図８に示すように、ステップＳ３０１からステップＳ３１１までの複数のステップを含むことができる。以下に、本実施形態に係る排出処理の各ステップの詳細を説明する。
【００９７】
−ステップＳ３０１−
上述の受付処理にて顧客によって払込票処理装置１０に挿入された複数の払込票８００のいずれに対しても、顧客が処理をキャンセルしなかった場合、払込票処理装置１０は、一時保留部１３２ａ、１３２ｂ、１３２ｃ、１３２ｄの順に、すなわち挿入部１２２に近い順に、各一時保留部１３２に保留された払込票８００に対する排出処理を順次開始する。詳細には、制御部１００は、上述の受付処理にて読み取った払込票８００の表面の画像やデータコードの情報等から、当該払込票８００の形態（フォーマット）を特定する。そして、当該制御部１００は、払込票８００の各種形態における領収印の押印する位置についての位置情報及び払込票８００を切り離す位置についての位置情報が格納されたフォーマットデータベースから該当する位置情報（制御情報）を抽出する。さらに、制御部１００は、抽出した位置情報に基づいて、搬送部１２４、記録部１２８及びカッタ部１３０を制御するための制御パラメータを設定する。設定された制御パラメータによって、この後のステップにおいて、払込票処理装置１０は、挿入された払込票８００が様々な形態を持っていても、各払込票８００の適切な位置に領収印を押印又は印字することができ、且つ、各払込票８００を適切な位置で切り離すことができる。
【００９８】
なお、主だった払込票８００の形態は、上述のフォーマットデータベースとして記憶部１０４に事前に格納されているものとする。しかしながら、上記フォーマットデータベースに含まれていない形態を持つ払込票８００に対して処理を行う場合には、上述の制御パラメータの設定が難しいため、当該払込票８００の適切な位置に領収印を押印又は印字したり、払込票８００を切り離したりすることが難しくなる。そこで、このような場合、制御部１００は、顧客に対して、店員（ユーザ）に押印及び切り離しを依頼するように誘導する表示画面を表示し、該当する払込票８００の処理を中止してもよい。
【００９９】
この際、払込票処理装置１０は、該当する払込票８００の表面の画像をセンタサーバ２０へ送信してもよい。このようにしてセンタサーバ２０へ送信された払込票８００の表面の画像は、当該払込票８００における領収印の押印又な印字の位置、及び切り離し位置を特定し、払込票処理装置１０にて使用する制御パラメータを算出するために用いられる。そして、このように特定された位置情報や算出された制御パラメータは、上記フォーマットデータベースに新たに加えられることとなる。従って、この後には、払込票処理装置１０は、上記払込票８００と同様の形態を持つ払込票８００を受け付けた場合に、当該払込票８００の処理を行うことが可能となる。
【０１００】
そして、制御部１００は、搬送部１２４のブレード１４０を制御し、所定の一時保留部１３２から払込票８００が記録部１２８に搬送できるように準備する。さらに、制御部１００は、搬送部１２４を制御し、所定の一時保留部１３２から払込票８００を繰り出す。払込票８００が一時保留部１３２から繰り出されたことを検知部１３６ｅで検知した場合には、制御部１００は、スタンプタイミング検知部１３６ｄを、払込票８００の先端を検知させるように起動する。
【０１０１】
−ステップＳ３０３−
スタンプタイミング検知部１３６ｄにより、払込票８００の先端が検知された場合には、制御部１００は、上述の制御パラメータに基づき、搬送部１２４を制御して、適切な位置に領収印が押印又は印字できるように払込票８００を搬送し、一時停止させる。さらに、制御部１００は、上記制御パラメータに基づき、記録部１２８を制御して、払込票８００の適切な位置に領収印を押印又は印字する。なお、一枚の払込票８００中に、領収印の押印又は印字する箇所が複数存在する場合には、制御部１００は、払込票８００の搬送及び停止等を繰り返し、それぞれ適切な位置に記録部１２８によって領収印の押印又は印字を行うように制御する。
【０１０２】
−ステップＳ３０５−
領収印の押印又は印字を終えた後、制御部１００は、搬送部１２４を制御して、払込票８００を記録部１２８からカッタ部１３０へと搬送する。この際、制御部１００は、引き込みローラ１３８ａに払込票８００の先端が到達する前に、すなわち、カッタタイミング検知部１３６ｃが払込票８００の先端を検知した場合に、引き込みローラ１３８ａを駆動する。
【０１０３】
−ステップＳ３０７−
制御部１００は、カッタタイミング検知部１３６ｂで払込票８００の先端を検知した場合には、搬送部１２４を制御して、払込票８００を切り離すべき位置にカッタ部１３０の刃先が位置するように払込票８００を搬送し、次いで停止させる。この際、カッタ部１３０の切り離し動作により、払込票８００の位置がずれることを避けるために、搬送部１２４の幅寄せローラ１３８ｂ及び引き込みローラ１３８ａを駆動する駆動モータは、弱励磁モードに設定されることが好ましい。そして、制御部１００は、カッタ部１３０を制御して、払込取扱票８０４及び店舗控え８０６（第２の部分）から、受領証８０８（第１の部分）を切り離す。
【０１０４】
−ステップＳ３０９−
制御部１００は、引き込みローラ１３８ａを制御して、切り離された受領証８０８を挿入部１２２の開口部１５０へ搬送する。この際、制御部１００は、受領証８０８の後端部が引き込みローラ１３８ａ及び開口部１５０によって把持されることにより受領証８０８が落下しない位置にまで、受領証８０８を搬送するように、搬送部１２４を制御することが好ましい。このようにすることで、顧客が排出された受領証８０８を受け取り易くすることができる。さらに、制御部１００は、検知部１３６ａを起動させ、受領証８０８が顧客によって受け取られたかどうかを監視する。
【０１０５】
所定の時間を経過しても、顧客による受領証８０８の受け取りが確認できない場合には、制御部１００は、操作表示部１１２に、顧客に対して受領証８０８の受け取りを促す誘導画面を表示させてもよく、スピーカ（図示省略）に対して誘導音声やブザー音を出力させてもよい。
【０１０６】
さらに、払込票処理装置１０に、受領証８０８の表面の画像を読み取るスキャナ部（図示省略）が設けられている場合には、切り離された受領証８０８の表面の画像を当該スキャナ部によって読み取ってもよい。このように切り離された受領証８０８の表面の画像を取得し、格納することにより、店舗又は事業者等は、受領証８０８に領収印が押印又は印字されたか否か、適切に処理日時が押印又は印字されたか否かを事後であっても容易に確認することができる。
【０１０７】
また、受領証８０８が顧客へ返却（排出）される間に、払込票処理装置１０は、受領証８０８から切り離された払込取扱票８０４及び店舗控え８０６の回収を行う。詳細には、制御部１００は、幅寄せローラ１３８ｂを制御して払込取扱票８０４及び店舗控え８０６を回収部１３４へ搬送する。先に説明したように、本実施形態においては、複数の幅寄せローラ１３８ｂは、カッタ部１３０を挟んで互いに逆方向に回転するように駆動することができるように構成されていることから、受領証８０８の排出の際に、払込取扱票８０４及び店舗控え８０６の回収も同時に行うことが可能である。
【０１０８】
詳細には、制御部１００は、搬送部１２４のブレード１４０を制御し、払込取扱票８０４及び店舗控え８０６が回収部１３４に搬送できるように準備する。さらに、制御部１００は、搬送部１２４の幅寄せローラ１３８ｂ、フィードローラ１３８ｃ、及びこしつけローラ１３８ｅ等を制御し、払込取扱票８０４及び店舗控え８０６を回収部１３４に回収する。さらに、制御部１００は、検知部１３６ｅによって払込取扱票８０４及び店舗控え８０６が回収部１３４に回収されたことを検知した場合には、搬送部１２４を停止する。
【０１０９】
上述した回収部１３４への払込取扱票８０４及び店舗控え８０６の搬送の際、払込取扱票８０４及び店舗控え８０６は、スキャナ部１２６を通過することとなる。従って、通過の際には、領収印が押印又は印字された払込取扱票８０４及び店舗控え８０６の表面の画像を、スキャナ部１２６によって取得することが可能である。この際、取得した画像は、記憶部１０４に格納することもでき、センササーバ２０へ送信してもよい。事後における収納代行業務の確認作業において処理のミスが発覚した場合には、ミスに該当する払込取扱票８０４及び店舗控え８０６を探し出すのではなく、上述のように取得した画像の中から該当する画像を抽出することにより処理のミスの検証作業を行うことができることから、早期に検証作業を行うことができる。
【０１１０】
なお、払込取扱票８０４及び店舗控え８０６の回収の際にも、搬送部１２４の払込取扱票８０４及び店舗控え８０６の搬送速度は、スキャナ部１２６による払込取扱票８０４及び店舗控え８０６の読み取りが行われていない場合には、当該読み取り時に比べて速くなるように設定することが好ましく、このようにすることで払込取扱票８０４及び店舗控え８０６の回収にかかる時間をより短くすることができる。
【０１１１】
そして、払込票処理装置１０は、まだ他の一時保留部１３２に払込票８００が残っている場合には、これらの払込票８００に対しても、排出処理を上述と同様に行うこととなる。なお、本実施形態においては、払込票処理装置１０は、顧客から挿入された順番でも逆順でも、設定された順序で払込票８００を排出処理することができる。
【０１１２】
詳細には、制御部１００は、挿入検知部１３６ａを起動させ、受領証８０８が顧客によって受け取られたかどうかを監視する。また、制御部１００は、当該受領証８０８が顧客によって受け取られる前であっても、前記回収処理が完了していれば、一時保留部１３２から次の払込票８００を搬送し、記録部１２８による領収印の押印又は印字等を行うように、搬送部１２４及び記録部１２８等を制御してもよい。
【０１１３】
さらに、この時点においても、顧客による受領証８０８の受け取りが確認できない場合には、制御部１００は、一時保留部１３２から繰り出された次の払込票８００が受領証８０８と追突することを避けるために、カッタ部１３０の手前で次の払込票８００が停止するように搬送部１２４を制御する。そして、制御部１００は、顧客が受領証８０８を受け取ったことを検知した場合には、カッタ部１３０の手前で停止していた払込票８００を搬送し、カッタ部１３０による切り離しを実行する。
【０１１４】
なお、本実施形態においては、上述したように、受領証８０８が顧客によって受け取られる前に、一時保留部１３２から次の払込票８００を搬送することに限定されるものではなく、先の払込票８００に係る払込取扱票８０４及び店舗控え８０６が回収部１３４に回収され、且つ、顧客による受領証８０８の受け取りを検知した後に、一時保留部１３２から次の払込票８００を搬送するようにしてもよい。
【０１１５】
なお、本実施形態においては、顧客から複数の払込票８００が挿入された場合には、その合計金額に対して現金の払込みが必要であるが、それが不足した場合や、払い込む帳票を間違えた場合等にも、顧客によりその一部の払込票８００の処理を途中でキャンセルすることができる。この場合、払込票処理装置１０は、先にキャンセルに係る払込票８００を、領収印の押印等や切り離しを行うことなく顧客に返却（排出）し、その後、残りの払込票８００の排出処理を行う。本実施形態においては、各払込票８００を個別に一時的に保留する一時保留部１３２が複数個設けられているため、いずれの順番で挿入された払込票８００であっても、挿入された払込票８００全部の処理をキャンセルすることなく、顧客が希望する払込票８００の処理を選択的にキャンセルすることが可能であり、従って、キャンセルされた払込票８００のみを選択的に顧客に返却（排出）することが可能である。
【０１１６】
以上のように、本実施形態においては、店員等の手を煩わせることなく、払込票８００の受付から、代金等の精算、領収印の押印、及び払込票８００の一部（受領証８０８）の返却までの払込票８００に係る収納代行処理を自動で行うことができる。従って、本実施形態によれば、領収印の押印を忘れたり、受領証８０８を返却することを忘れたりといったミスを防ぐことができる。さらに、ミスを防ぐための複数回の確認作業も必要なくなることから、店員の負担が増えることも避けることができる。また、本実施形態によれば、店員等の手を介することなく、払込票８００に係る収納代行処理を自動で行うことができることから、店員等による不正な処理を防ぐことができる。
【０１１７】
また、本実施形態によれば、店員等の手を介することなく、払込票８００に係る収納代行処理を自動で行うことができることから、顧客のプライバシーに関する情報が店員等に晒されることはなく、顧客のプライバシーを確保することができる。
【０１１８】
加えて、本実施形態に係る払込票処理装置１０によれば、複数の払込票８００に係る収納代行処理を一度に行うことができることから、複数の払込票８００が挿入されても、顧客を待たせることなく、迅速に収納代行業務を行うことができる。
【０１１９】
＜＜第２の実施形態＞＞
ところで、先に説明したように、第１の実施形態に係る払込票処理装置１０においては、払込票８００には、記録部１２８によって払込票８００に係る収納代行業務は行われた日付が押印又は印字される。払込票８００に係る代金等の支払いには期日が定められていることが多く、顧客が期日までに支払いを完了したことを証明するためには、記録部１２８によって押印等される日付が正確であることが求められる。そこで、以下に説明する本発明の第２の実施形態においては、正確な日付を押印等することができるように、日付が移り変わるたびに、記録部１２８によって押印する日付の設定を店員（ユーザ）等に促す。以下に、このような第２の実施形態を説明する。
【０１２０】
なお、本実施形態においては、払込票処理装置１０の詳細構成については、第１の実施形態と共通する。従って、ここでは、本実施形態に係る払込票処理装置１０の詳細構成の説明を省略する。
【０１２１】
以下の説明においては、記録部１２８によって払込票８００に押印される日付部分のスタンプは、店員の手によって日付合わせされるような構成を持つものとする。そこで、本実施形態においては、制御部１００が内蔵する時計機構（図示省略）により日付が変わったことを検知した場合には、制御部１００は、店員等（ユーザ）に対して日付の設定を促す通知画面を操作表示部１１２に表示させる、もしくは、店員等に対して日付の設定を促す音声等をスピーカ（図示省略）等の通知機器から出力させる。そして、画面又は音声等による通知を確認した店員等により、上記スタンプの日付合わせが行われることとなる。なお、上述のような場合、払込票処理装置１０は、店員等による日付合わせが行われたことが検知できるまでは、新たな払込票８００の挿入の受け付けができないように作動するよう設定されていることが好ましい。
【０１２２】
また、本実施形態においては、払込票８００に係る収納代行業務が行われた日の日付は、記録部１２８によって払込票８００に印字されてもよい。このような場合、払込票処理装置１０は、自動的に印字する日付を変更することができる。そこで、制御部１００は、内蔵する時計機構（図示省略）により日付が変わったことを検知した場合には、記録部１２８に対して日付を変更するように指示を行ってもよい。そして、このような指示を受けた記録部１２８は、当該指示に従って、払込票８００に変更した日付を印字する。
【０１２３】
以上のように、本発明の第２の実施形態によれば、日付が移り変わるたびに、記録部１２８が押印又は印字する日付が変更されることから、記録部１２８によって、常に正確な日付が払込票８００に押印等することができる。
【０１２４】
＜＜まとめ＞＞
以上のように、本発明の各実施形態においては、店員等の手を煩わせることなく、払込票８００の受付から、代金等の精算、領収印の押印、及び払込票８００の一部（例えば受領証８０８）の返却までの払込票８００に係る収納代行処理を自動で行うことができる。従って、本実施形態によれば、領収印の押印を忘れたり、受領証８０８を返却することを忘れたりといったミスを防ぐことができ、さらには店員等による不正な処理を防ぐことができる。
【０１２５】
また、これら実施形態によれば、店員等の手を介することなく、払込票８００に係る収納代行処理を自動で行うことができることから、顧客のプライバシーに関する情報が店員等に晒されることはなく、顧客のプライバシーを確保することができる。
【０１２６】
加えて、これら実施形態に係る払込票処理装置１０によれば、複数の払込票８００に係る収納代行処理を一度に行うことができることから、複数の払込票８００が挿入されても、顧客を待たせることなく、迅速に収納代行業務を行うことができる。
【０１２７】
なお、上述した本発明の各実施形態においては、上述したような払込票８００の取扱いに対しての適用に限定されるものではなく、小切手、商品券、有価証券、通帳、チケット等の紙状媒体の取扱いであれば、特に限定されるものはなく、適用することができる。
【０１２８】
＜＜補足＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２９】
また、上述した本発明の実施形態の払込票処理方法における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理方法についても、必ずしも記載された方法に沿って処理されなくてもよく、例えば、他の機能部によって他の方法によって処理されていてもよい。
【符号の説明】
【０１３０】
１    払込票処理システム
１０    払込票処理装置
２０    センタサーバ
６０    通信網
１００    制御部
１０２    電源部
１０４    記憶部
１０６    通信部
１０８    紙幣処理部
１１０    硬貨処理部
１１２    操作表示部
１２０    機構部
１２２    挿入部
１２４、１２４ａ、１２４ｂ    搬送部
１２６    スキャナ部
１２８    記録部
１３０    カッタ部
１３２、１３２ａ、１３２ｂ、１３２ｃ、１３２ｄ    一時保留部
１３４    回収部
１３６、１３６ａ、１３６ｂ、１３６ｃ、１３６ｄ、１３６ｅ    検知部
１３８ａ、１３８ｂ、１３８ｃ、１３８ｄ、    ローラ
１４０    ブレード
１５０    開口部
２００    基準面
８００    払込票
８０４    払込取扱票
８０６    店舗控え
８０８    受領証
８１０、８１４、８１６    領収印領域
８１２    データコード領域
【図１】
2019087191.tif 000003
【図２】
2019087191.tif 000004
【図３】
2019087191.tif 000005
【図４】
2019087191.tif 000006
【図５】
2019087191.tif 000007
【図６】
2019087191.tif 000008
【図７】
2019087191.tif 000009
【図８】
2019087191.tif 000010